(57)【要約】【課題】トッププレート側の基板と筐体側の制御部との電気的接続を簡単且つ確実にできると共に、接続線の損傷を防止できるようにする。【解決手段】筐体１２の上面開口にはこれを覆うようにトッププレート１７が配設されている。このトッププレートプレート１７の前縁部下面には基板１８が設けられている。前記基板１８と図示しない制御部とを導通接続するために可撓性ある接続線２３ｂを有するワイヤハーネスコネクタ２３が設けられている。前記筐体１２の前板部１２ａにおける前記基板１８近傍部分の一部を該筐体１２に対して着脱可能な板部材２６から構成している。【選択図】図１
2008112685.tif 000002
【特許請求の範囲】
【請求項１】
上面を開口した筐体の内部に加熱手段及び制御部を備えた筐体と、
この筐体の上面開口にこれを覆うように配設されたトッププレートと、
このトッププレートプレートの前縁部下面に取着された基板と、
前記基板と前記制御部とを導通接続するために可撓性ある接続線を有するコネクタとを備え、
前記筐体の前板部における前記基板近傍部分の一部を該筐体に対して着脱可能な板部材から構成したことを特徴とする加熱調理器。
【請求項２】
コネクタはワイヤハーネスコネクタからなり、
トッププレート上面にはタッチ入力部が設けられ、
基板は、タッチ入力部に対する人体のタッチ入力を検出するために電極基板及び制御回路基板からなり、
前記制御回路基板と制御部とがワイヤハーネスコネクタにより導通接続され、
前記制御回路基板が筐体の前板部に対向する位置に設けられていることを特徴とする請求項１に記載の加熱調理器。
【請求項３】
板部材にキッチンキャビネットに配置されるフランジ部が形成されていることを特徴とする請求項１に記載の加熱調理器。
【請求項４】
板部材を前記筐体に対して位置決めする位置決め手段が設けられていることを特徴とする請求項１ないし３のいずれかに記載の加熱調理器。
【発明の詳細な説明】
【技術分野】
【０００１】
本発明は、筐体内部に加熱手段及び制御手段を備え、筐体上部にトッププレートを備えた加熱調理器に関する。
【背景技術】
【０００２】
この種の加熱調理器としては、特許文献１に示される構成のものがある。このでは、筐体の内部に誘導加熱コイルと制御部とを備えると共に、筐体の上面開口にこれを覆うようにトッププレートを配設する構成としている。そして、このトッププレートの前縁部に例えば静電容量式の操作部を設けている。この操作部はトッププレート下方部に設けた基板に設けられている。この基板と前記制御部とは電気的接続手段により接続されるものであり、その接続構成はこの特許文献１には明示されていないが、前記基板を支持する支持部材に前記電気的接続手段が付設されていると解される。
【０００３】
また、特許文献２に示される構成では、前記制御部側から板ばね製の導電部材（電気的接続手段）を立設し、この導電部材をトッププレート下面の操作部に当接させる構成が記載されている。
【０００４】
この特許文献２に記載の構成においては、板ばね製の導電部材のばね力により操作部に当接させるため、導通の信頼性や組立性に劣る。
【特許文献１】特開平１０−２１４６７７号公報（図２）
【特許文献１】特開２００５−３８７３９号公報（図７）
【発明の開示】
【発明が解決しようとする課題】
【０００５】
上記板ばね製の導電部材に代わる電気的接続手段として、本発明者は、前記電気的接続手段として可撓性ある接続線を有するコネクタを用いることを考えている。この具体的構成の一例を図７ないし図１０に示す。図７及び図９には加熱調理器１の組立完了状態を示している。筐体２は、上面を開口した形態をなしており、筐体２の内部には、制御部３やファン４が設けられていると共に、開口部に面して誘導加熱コイル５などが設けられている。この筐体２の開口縁部にはキッチンキャビネットＫに配置されるフランジ部２ａが形成されている。
【０００６】
筐体２の上面開口にはこれを覆うようにトッププレート６が配置されている。このトッププレート６には、その前縁部にタッチ入力式（静電容量式）の操作部６ａが形成されており、この操作部６ａの入力を検出するための基板７が該トッププレート６の前縁部に取着されている。そして、この基板７と前記制御部３とを、可撓性ある接続線８ａを備えたコネクタ８により接続するようにする。
【０００７】
この場合、トッププレート６側の基板７と、筐体２側の制御部３とをコネクタ８で接続する場合、図８及び図１０に示すように、トッププレート６の前縁部側を筐体２から離間させ、その状態で、制御部３から導出させておいたコネクタ８を基板側コネクタ７ａに接続し、その後、トッププレート６を筐体２の上面開口に配置し固着する（図７及び図９参照）。
【０００８】
ところが、この場合、前記コネクタ８の接続後は、作業者がトッププレート６を筐体２に配置する際に、該コネクタ８の接続線８ａ部分がトッププレート６に遮られて目視できず、図８及び図１０に示すように、筐体２の前板部２ａ上端部に乗り上げたり、あるいは前板部２ａと基板７との間に噛み込んだりし、その状態で組み込みが完了すると、接続線８ａが損傷するおそれがある。
【０００９】
また、接続線８ａ部分を保守・点検する際に、トッププレート６を筐体２から持ち上げたとしても、接続線８ａ部分を目視しづらく、保守・点検性に劣るという問題がある。
本発明は、上述の事情に鑑みてなされたものであり、トッププレート側の基板と筐体側の制御部との電気的接続を簡単且つ確実にできると共に、接続線の損傷を防止できる加熱調理器を提供することにある。
【課題を解決するための手段】
【００１０】
本発明は、上面を開口した筐体の内部に加熱手段及び制御部を備えた筐体と、この筐体の上面開口にこれを覆うように配設されたトッププレートと、このトッププレートプレートの前縁部下面に取着された基板と、前記基板と前記制御部とを導通接続するために可撓性ある接続線を有するコネクタとを備え、前記筐体の前板部における前記基板近傍部分の一部を該筐体に対して着脱可能な板部材から構成したところに特徴を有する。
【００１１】
本発明によれば、前記基板と前記制御部とを導通接続するために可撓性ある接続線を有するコネクタを備えているから、トッププレート側の基板と筐体側の制御部との電気的接続を簡単且つ確実にできる。また、筐体の前板部における前記基板近傍部分の一部を該筐体に対して着脱可能な板部材から構成しているから、トッププレートを筐体から持ち上げた状態でコネクタを接続するときに、この板部材を取り外しておくことで、接続線の噛み込みを防止でき、また仮に配線トラブルが発生しても、板部材が取り外されているから、筐体内部でそれを修正することが可能であり、接続線の引き回しにトラブルが発生することがなく、該接続線の破損を防止できる。
【発明の効果】
【００１２】
本発明によれば、トッププレート側の基板と筐体側の制御部との電気的接続を簡単且つ確実にできると共に、接続線の損傷を防止できる。
【発明を実施するための最良の形態】
【００１３】
以下、本発明をシステムキッチンに組み込まれる加熱調理器に適用した一実施例を図１ないし図６を参照して説明する。図２は、組立完了状態の加熱調理器１１をキッチンキャビネットＫに組み込んだ状態で示している。図１は、組立完了状態の加熱調理器１１のトッププレート前縁部部分を示している。また、図３は、加熱調理器１１を、板部材２６（後述する）を取り外した状態で示している。この図１ないし図３において、筐体１２は、上面を開口した形態をなしており、前板部１２ａと右板部１２ｂと左板部（図示無し）と後板部１２ｃとを有している。前板部１２ａの上部１２ａｕは前記キッチンキャビネットＫを逃げるために、下部１２ａｄに比して後方へ後退した形態となっている。
【００１４】
この筐体１２の開口縁部にはキッチンキャビネットＫに配置されるフランジ部１２ｆが形成されている。
この筐体１２の内部には、仕切り板１３が設けられており、この仕切り板１３の下部に制御部としての駆動部１４やファン１５が設けられていると共に、仕切り板１３の上部に、該筐体１２の開口部に面して加熱手段としての誘導加熱コイル１６などが設けられている。前記駆動部１４はこの誘導加熱コイル１６などの駆動するインバータ駆動制御回路やインバータ回路などを備えて構成されている。
【００１５】
一方、筐体１２の上面開口にはこれを覆うようにトッププレート１７が配置されている。このトッププレート１７には、その前縁部にタッチ入力式（静電容量式）のタッチ入力部１７ａが例えば印刷層により形成されている。そして、トッププレート１７の下面部分には、基板１８が配設されている。
【００１６】
この基板１８は、電極基板１９と制御回路基板２０とを含んで構成されている。電極基板１９はトッププレート１７の前縁部の下面に枠状の保持板２１により保持された形態に取着されている。この保持板２１はトッププレート１７に例えば接着などにより固着されている。この電極基板１９に上面には前記タッチ入力部１７ａに対向するように検知電極１９ａが導体パターンにより形成されていて、この検知電極１９ａはスルーホール及び接続導体パターンを介して基板対基板型のコネクタ２２に道通されている。このコネクタ２２に前記制御回路基板２０が接続されてほぼ垂直状態に取り付けられている。
【００１７】
この制御回路基板２０は接触検知回路などが構成されている。前記タッチ入力部１７ａにユーザーの手指が触れると、人体と検知電極１９ａとが静電結合するものであり、つまり、静電容量が変化して微弱電流が流れるものであり、接触検知回路はこの静電容量変化を検知してユーザーによるタッチ入力を検知する。この制御回路基板２０は、筐体１２の前板部１２ａの上部１２ａｕの裏面に対向している。
【００１８】
この制御回路基板２０の下部には、本発明に係るコネクタであるワイヤハーネスコネクタ２３と接続されるコネクタ部２０ａが実装されている。このワイヤハーネスコネクタ２３は、両端のコネクタ部２３ａ（一方のみ図示）に可撓性ある接続線２３ｂを備えている。このワイヤハーネスコネクタ２３は前記制御回路基板２０と前記駆動部１４とを接続するためのものであり、このワイヤハーネスコネクタ２３の他方のコネクタ部は前記駆動部１４に接続されており、接続線２３ｂは前記仕切り板１３の挿通孔１３ａに挿通されている。
【００１９】
また、筐体１２の開口前縁部近傍には、表示用基板２４が、基板ホルダ２４ａにより取り付けられている。この表示用基板２４には、表示用の発光ダイオード２５などが実装されている。この発光ダイオード２５はダイオードホルダ２５ａにより整光及び保護されている。前記制御回路基板２０は、このダイオードホルダ２５ａと筐体１２の前板部１２ａの上部１２ａｕと間に位置する。
【００２０】
さて、前記筐体１２の前板部１２ａの上部１２ａｕにおいて、制御回路基板２０の近傍の一部は開口されており、この前面開口部１２ｋには、筐体１２に対して着脱可能な板部材２６がねじ止めされている。つまり、前板部１２ａにおける前記制御回路基板２０近傍部分の一部を該筐体１２に対して着脱可能な板部材２６から構成している。この板部材２６には、前記フランジ部１２ｆが形成されている。
【００２１】
さらに、図３に示すように、この板部材２６の下縁部にはねじ挿通孔２７が形成されていると共に、位置決め用突片２８が形成されている。また筐体１２の前記前面開口部１２ｋの縁部には、ねじ孔２９が形成されていると共に、位置決め用孔３０が形成されている。この位置決め用孔３０と前記位置決め用突片２８とで位置決め手段３１が構成されている。この位置決め手段３１による位置決めにより筐体１２に対する板部材２６の位置合わせが正確に行われる。そして、ねじ３２をねじ挿通孔２７を通してねじ孔２９に螺合することにより板部材２６を筐体１２に取り付けている。
【００２２】
このように構成された加熱調理器１１は、組み立て時においては、図４及び図５に示すように筐体組立体Ａに対してトッププレート組立体Ｂを取り付ける。この場合、筐体組立体Ａは、筐体１２に仕切り板１３、駆動部１４、ファン１５、誘導加熱コイル１６、ワイヤハーネスコネクタ２３、表示用基板２４、基板ホルダ２４ａを備えた構成体である。この場合、板部材２６は、筐体１２から取り外してある。またトッププレート組立体Ｂは、トッププレート１７、電極基板１９、制御回路基板２０、保持板２１が一体的に備えられた構成体である。
【００２３】
この図４及び図５の状態から、ワイヤハーネスコネクタ２３のコネクタ部２３ａを制御回路基板２０のコネクタ部２０ａに接続する。この場合、筐体１２の前板部１２ａ上部が開口しているので（前面開口部１２ｋがあるので）、この接続作業を行いやすい。この接続後、トッププレート組立体Ｂを筐体１２のフランジ部１２ｆに載せる。この場合、板部材２６未取り付け状態であるので、図６に示すように、ワイヤハーネスコネクタ２３の接続線２３ｂが筐体組立体Ａに噛み込むことがない。また、仮に上記接続線２３ｂが筐体組立体Ａのどこかに引っ掛かるような配線トラブルが発生しても、その修正を容易に行うことができる。
【００２４】
この後、前記板部材２６を位置決め手段３１により筐体１２に対して位置決めした後、ねじ３２によりねじ止めし、板部材２６を筐体１２に取り付ける（図１参照）。
このような本実施例によれば、基板１８と駆動部１４とを導通接続するために可撓性ある接続線２３ｂを有するワイヤハーネスコネクタ２３を備えているから、トッププレート１７側の基板１８と筐体１２側の駆動部１４との電気的接続を簡単且つ確実にできる。また、筐体１２の前板部１２ａにおける前記基板１８近傍部分の一部を該筐体１２に対して着脱可能な板部材２６から構成しているから、トッププレート１７を筐体１２から持ち上げた状態でワイヤハーネスコネクタ２３を接続するときに、この板部材２６を取り外しておくことで、接続線２３ｂの噛み込みを防止でき、また仮に配線トラブルが発生しても、板部材２６が取り外されているから、筐体１２内部でそれを修正することが可能であり、接続線２３ｂの引き回しにトラブルが発生することがなく、該接続線２３ｂの破損を防止できる。
【００２５】
また、本実施例においては、トッププレート１７上面にはタッチ入力部１７ａが設けられ、基板１８を、タッチ入力部１７ａに対する人体のタッチ入力を検出するために電極基板１９及び制御回路基板２０から構成し、前記制御回路基板２０と駆動部１４とがワイヤハーネスコネクタ２３により導通接続され、前記制御回路基板２０が筐体１２の前板部１２ａの上部１２ａｕに対向する位置に設けられた構成である。従って、板部材２６は、この制御回路基板２０の近傍にあってこれと対向する構成となっているから、板部材２６を取り外せば、この制御回路基板２０部分が筐体１２外部に直接臨むようになり、ワイヤハーネスコネクタ２３の接続作業及び保守・点検作業を容易且つ確実にできる。
【００２６】
また、本実施例によれば、板部材２６にキッチンキャビネットＫに配置されるフランジ部１２ｆを形成しているから、筐体１２における前面開口部１２ｋが該フランジ部１２ｆ領域まで開口するため、筐体１２内部の保守・点検性の向上及びワイヤハーネスコネクタ２３の配線トラブルの解消に大いに寄与できる。
【００２７】
また、本実施例によれば、板部材２６を筐体１２に対して位置決めする位置決め手段３１を設けているから、筐体１２に対する板部材２６の位置を正確に決めることができ、特に、板部材２６がフランジ部１２ｆを有するから、フランジ部１２ｆの位置を正確に決めることができ、板部材２６が筐体１２と別部材でありながらも、トッププレート１７を適正位置で受けることができる。
【００２８】
なお、本発明は上記実施例に限定されず、たとえばコネクタとしてはワイヤハーネスコネクタでなくても良い。また、コネクタと接続される制御部としては駆動部１４に限るものではなく、表示用基板２４などでも良い。また、位置決め手段は、位置決め用突片、位置決め用孔に限られるものはない。
【図面の簡単な説明】
【００２９】
【図１】本発明の一実施例を示す加熱調理器のトッププレート前部分の縦断面図
【図２】キッチンキャビネットに組み込んだ加熱調理器全体の縦断側面図
【図３】加熱調理器から板部材を取り外した状態の外観斜視図
【図４】トッププレートの筐体への組み込みを説明するための加熱調理器全体の縦断側面図
【図５】同説明のためのトッププレート前部分の縦断面図（その１）
【図６】同説明のためのトッププレート前部分の縦断面図（その２）
【図７】従来構成に対する改良構成を説明するための図２相当図
【図８】図４相当図
【図９】図１相当図
【図１０】図５相当図
【符号の説明】
【００３０】
図面中、１１は加熱調理器、１２は筐体、１２ａは前板部、１２ｆはフランジ部、１４は駆動部（制御部）、１６は誘導加熱コイル（加熱手段）、１７はトッププレート、１７ａはタッチ入力部、１８は基板、１９は電極基板、２０は制御回路基板、２３はワイヤハーネスコネクタ（コネクタ）、２３ｂは接続線、２８は位置決め用突片、３０は位置決め用孔、３１は位置決め手段を示す。
【図１】
2008112685.tif 000003
【図２】
2008112685.tif 000004
【図３】
2008112685.tif 000005
【図４】
2008112685.tif 000006
【図５】
2008112685.tif 000007
【図６】
2008112685.tif 000008
【図７】
2008112685.tif 000009
【図８】
2008112685.tif 000010
【図９】
2008112685.tif 000011
【図１０】
2008112685.tif 000012